(57)【特許請求の範囲】
【請求項１】
無線回線を介して受信した音声信号を音声に変換して発音する音声発音手段と、
マイクロフォンから出力される音声信号を搬送波に乗せて発信する音声発信手段とを具備する携帯電話機において、
クロストークキャンセル回路を具備し、該クロストークキャンセル回路により処理された右チャンネルと左チャンネルの楽音信号を出力する楽音信号発生手段と、
分離不能な筐体部に近接して配置され、前記処理された左右チャンネルの楽音信号がそれぞれ印加される第１、第２のスピーカとを具備してなり、
前記クロストークキャンセル回路は、第１〜第４のＦＩＲフィルタと、第１、第２の加算器を有し、処理前の右チャンネルの楽音信号を第１のＦＩＲフィルタと第２のＦＩＲフィルタに入力し、処理前の左チャンネルの楽音信号を第３のＦＩＲフィルタと第４のＦＩＲフィルタに入力し、前記第１のＦＩＲフィルタと前記第３のＦＩＲフィルタの各出力信号を前記第１の加算器で加算して処理後の右チャンネル楽音信号として出力し、前記第２のＦＩＲフィルタと前記第４のＦＩＲフィルタの出力信号を前記第２の加算器で加算して処理後の左チャンネル楽音信号として出力する処理を行うものであることを特徴とする携帯電話機。
【請求項２】
さらに、無線回線を介して受信した着信信号に基づいて着信音を発生する着信音発生手段を具備し、前記着信音発生手段は、前記第１のスピーカによって着信音を発生し、前記音声発生手段は前記第２のスピーカによって音声を発音することを特徴とする請求項１に記載の携帯電話機。
【請求項３】
前記楽音信号発生手段は、左右チャンネルの楽音データを記憶する記憶手段を具備し、前記記憶手段から前記左右チャンネルの楽音データを読み出し、該左右チャンネルの楽音データを処理前の左右チャンネルとして前記クロストークキャンセル回路へ出力するものであることを特徴とする請求項１または請求項２に記載の携帯電話機。
【発明の詳細な説明】
【０００１】
【発明の属する技術分野】
この発明は、電話の機能と音楽プレーヤの機能を共に有する携帯電話機に関する。
【０００２】
【従来の技術】
従来の携帯電話機は、電話機能のみを達成するもので、音楽プレーヤとして使用することは全く考えられていなかった。一方、近年、携帯電話機、携帯型の音楽プレーヤ（携帯型磁気テーププレーヤ等）は共に広く普及しており、携帯電話機と携帯型音楽プレーヤの双方を持つ人が増えつつある。しかしながら、これらを共に持つことはポケット等が重くなって好ましくない。
【０００３】
【発明が解決しようとする課題】
この発明は、このような事情を考慮してなされたもので、その目的は電話の機能と音楽プレーヤの機能を共に有する携帯電話機を提供することにある。
【０００４】
【課題を解決するための手段】
上記の目的を達成するために、請求項１に記載の発明は、無線回線を介して受信した音声信号を音声に変換して発音する音声発音手段と、マイクロフォンから出力される音声信号を搬送波に乗せて発信する音声発信手段とを具備する携帯電話機において、クロストークキャンセル回路を具備し、該クロストークキャンセル回路により処理された右チャンネルと左チャンネルの楽音信号を出力する楽音信号発生手段と、分離不能な筐体部に近接して配置され、前記処理された左右チャンネルの楽音信号がそれぞれ印加される第１、第２のスピーカとを具備してなり、前記クロストークキャンセル回路は、第１〜第４のＦＩＲフィルタと、第１、第２の加算器を有し、処理前の右チャンネルの楽音信号を第１のＦＩＲフィルタと第２のＦＩＲフィルタに入力し、処理前の左チャンネルの楽音信号を第３のＦＩＲフィルタと第４のＦＩＲフィルタに入力し、前記第１のＦＩＲフィルタと前記第３のＦＩＲフィルタの各出力信号を前記第１の加算器で加算して処理後の右チャンネル楽音信号として出力し、前記第２のＦＩＲフィルタと前記第４のＦＩＲフィルタの出力信号を前記第２の加算器で加算して処理後の左チャンネル楽音信号として出力する処理を行うものであることを特徴とする。
【０００５】
また、請求項２に記載の発明は、請求項１に記載の携帯電話機において、さらに、無線回線を介して受信した着信信号に基づいて着信音を発生する着信音発生手段を具備し、前記着信音発生手段は、前記第１のスピーカによって着信音を発生し、前記音声発生手段は前記第２のスピーカによって音声を発音することを特徴とする。
また、請求項３に記載の発明は、請求項１または請求項２に記載の携帯電話機において、前記楽音信号発生手段は、左右チャンネルの楽音データを記憶する記憶手段を具備し、前記記憶手段から前記左右チャンネルの楽音データを読み出し、該左右チャンネルの楽音データを処理前の左右チャンネルとして前記クロストークキャンセル回路へ出力するものであることを特徴とする。
【０００６】
【発明の実施の形態】
以下、図面を参照し、この発明の一実施形態について説明する。図１は同実施形態による携帯電話機の構成を示すブロック図である。この図において、符号１は回路各部を制御するＣＰＵ（中央処理装置）、２はＣＰＵ１のプログラムが記憶されたＲＯＭ（リードオンリメモリ）、３はデータ記憶用のＲＡＭ（ランダムアクセスメモリ）である。このＲＡＭ３はバッテリバックアップがされている。４は電話番号入力用のテンキー、各種ファンクションキー等が設けられた操作部、５は液晶表示器による表示部である。
【０００７】
６はアンテナ７を有する通信部であり、送信データを搬送波に乗せてアンテナ７から送信し、また、アンテナ７を介して着信した着信データを復調してＣＰＵ１または音声処理部８へ出力する。音声処理部８はマイクロフォン９から出力された音声信号をディジタルデータに変換し、さらに圧縮し送信データとして通信部６へ出力し、また、通信部６から出力される音声データをアナログ音声信号に変換し、アンプ１０へ出力する。アンプ１０は音声信号を増幅する増幅器であり、その制御端子へアンプ制御回路１２から供給される信号によってその利得が制御される。
【０００８】
１３は楽音メモリであり、１曲分のＲ（ライト）チャンネル、Ｌ（レフト）チャンネル用のディジタル楽音データが記憶される。なお、この楽音メモリ１３はＲＡＭ３と共用することも可能である。１４はリード／ライトコントローラであり、ＣＰＵ１からバスラインを介して供給される楽音データを楽音メモリ１３に書き込み、また、楽音メモリ１３内の楽音データを読み出し、Ｒチャンネル楽音データをＤＡＣ（ディジタル／アナログ変換器）１６へ、Ｌチャンネル楽音データをＤＡＣ１７へ出力する。ＤＡＣ１６，１７は各々コントローラ１４から出力される楽音データをアナログ楽音信号に変換し、アンプ１８，１９へ出力する。アンプ１８，１９はアンプ１０と同一構成のアンプである。
【０００９】
２０はミキサであり、アンプ１０，１８の出力を混合し、スピーカ２１へ出力する。２２ａ，２２ｂはヘッドホン出力端子である。２３は着信音発生部であり、ＣＰＵ１からの指示にしたがって着信音信号を形成し、切り替えスイッチ２５を介してアンプ２４へ出力する。アンプ２４はアンプ１０と同一構成のアンプである。２６はミキサであり、アンプ１９，２４の出力を混合し、スピーカ２７へ出力する。スピーカ２７はスピーカ２１と同仕様のスピーカであり、かつ、楽音信号を再生できる高機能スピーカである。そして、これらのスピーカ２１，２７は、図２（イ）に示すように、携帯電話機の上部に、共に前方に向けて、近接して配置されている。図２（ロ）は携帯電話機の上部正面を示す図であり、外観は１つのスピーカのように見え、内部には２個のスピーカが配置される。アンプ制御回路１２はＣＰＵ１から供給されるアンプ制御データに基づいて各アンプ１０，１８，１９，２４の制御端子へ利得制御信号を出力する。
【００１０】
次に、上記構成による携帯電話機の動作を説明する。この携帯電話機は電話機としての機能の他に音楽プレーヤとしての機能を有している。
最初に、電話機として使用する場合の動作を説明する。まず、電話の着信時は、アンテナ７を介して受信した着信信号を通信部６が復調し、これにより得られた着信データをＣＰＵ１へ出力する。ＣＰＵ１はこの着信データを受け、発信元の電話番号をＲＡＭ３に記憶させると共に、着信音発生部２３へ発生指示を出力する。着信音発生部２３はこの発生指示を受け、着信音信号を切り替えスイッチ２５を介してアンプ２４へ出力する。アンプ２４はこの着信音信号を増幅し、ミキサ２６を介してスピーカ２７へ出力する。これにより、着信音がスピーカ２７から発生する。
【００１１】
携帯電話機のユーザがこの着信音を聞き、操作部４の受信ボタンを押すと、ＣＰＵ１がこれを検知し、着信音停止指令を着信音発生部２３へ出力すると共に、音声処理部８および通信部６へ回線接続指示を出力する。以後、発信元と回線が接続され、マイクロフォン９の音声信号が発信元へ送信される。また、発信元からの音声データに基づく音声信号が音声処理部８から出力され、アンプ１０、ミキサ２０を介してスピーカ２１へ供給される。これにより、スピーカ２１から音声が発音される。
【００１２】
次に、発信時においては、まず、ユーザが操作部４のテンキーによって電話番号を入力し、次いで発信ボタンを押す。テンキーによって電話番号が入力されると、ＣＰＵ１がこの電話番号をＲＡＭ３内に書き込む。次いで、発信ボタンが押されると、ＣＰＵ１がＲＡＭ３内に記憶させた電話番号を通信部６へ出力する。通信部６はその電話番号を搬送波に乗せ、アンテナ７から送信する。送信された電話番号に基づく呼が送信先電話へ送られ、送信先電話の回線接続が行われると、ＣＰＵ１が通信部６および音声処理部８へ回線接続指示を出力し、以後、マイクロフォン９およびスピーカ２１による通話が行われる。
なお、上記の処理は従来の携帯電話機の処理と同様である。
【００１３】
次に、この携帯電話機を音楽プレーヤとして使用する場合について、図３を参照して説明する。この場合、ユーザは、まず、ダウンロードセンタへ電話をし、楽曲の配信を要求する（ステップＳ１）。ここで、ダウンロードセンタとは、音楽配信専用に作られたコンピュータであり、ユーザから電話回線を通した要求を受け、要求があった曲の楽音データを有料で配信する。ダウンロードセンタからの楽音データは通信部６を介してＣＰＵ１へ供給される。ＣＰＵ１はこの楽音データをＲＡＭ３に書き込む（ステップＳ２）。
【００１４】
次に、ユーザは、操作部４のキーによってダウンロードを受けた曲の中の１つを選択する（ステップＳ３）。ＣＰＵ１はこのキー操作を受け、選択された曲の楽音データをＲＡＭ３から読み出し、コントローラ１４へ出力する。コントローラ１４はこの楽音データを楽音メモリ１３に書き込む（ステップＳ４）。次に、ユーザは音楽スタートを指示するキー操作を行う（ステップＳ５）。ＣＰＵ１はこのキー操作を受け、コントローラ１４へスタート指示を出力する。以後、コントローラ１４は楽音メモリ１３から順次Ｒ／Ｌチャンネルの楽音データを読み出し、ＤＡＣ１６，１７へ出力する。ＤＡＣ１６，１７は、コントローラ１４から出力される楽音データをアナログ楽音信号に変換し、アンプ１８，１９、ミキサ２０，２６を介してスピーカ２１，２７へ出力する。これにより、ステレオ楽音がスピーカ２１，２７から発生する（ステップＳ６）。なお、このステレオ楽音をヘッドホン出力端子２２ａ，２２ｂに接続したヘッドホンによって聴くことも可能である。
【００１５】
ここで、ユーザが操作部のキーを操作し、音量を変更すると、ＣＰＵ１がそのキー操作に応じた音量データをアンプ制御回路１２へ出力する。アンプ制御回路１２は、その音量データに対応する利得制御信号をアンプ１８，１９へ出力する。これにより、アンプ１８，１９の利得が調整される。
【００１６】
次に、上述した楽音再生を行っている時に着信があった場合、ＣＰＵ１は着信音発生指示を着信音形成回路２３へ出力すると共に、アンプ１８，１９の利得を一定値まで下げることを指示する音量データをアンプ制御回路１２へ出力する。これにより、着信音がスピーカ２７から発生し、また、楽音の音量が低下する。そして、ユーザが受信ボタンを押すと、以後、通話可能となる。
【００１７】
なお、上記の構成において、切り替えスイッチ２５をＤＡＣ１７側へ投入し、ＤＡＣ１７から出力される再生楽音を着信メロディとして使用してもよい。
また、コントローラ１４の出力側に、図４に示すように、公知のクロストークキャンセル回路３０を設けてもよい。このクロストークキャンセル回路３０は、右側スピーカから受聴者の左耳へ達する音および左スピーカから受聴者の右耳へ達する音を各々キャンセルする回路であり、４個のＦＩＲフィルタ３１〜３４と加算回路３５，３６とから構成される。このクロストークキャンセル回路３０を挿入し、フィルタ特性を調整することにより、ステレオ感の優れた音を聴くことが可能となり、また、正面の人のみに音を伝えることも可能となる。また、頭部伝達関数（ＨＲＴＦ）とクロストークキャンセルフィルタの組み合わせで三次元空間の任意の位置に仮想音源を配置し、近接した２つのスピーカで広がり感のあるステレオ再生を可能とするステレオダイポールという技術が知られているが、その技術を利用することにより、図２（イ）のように近接したスピーカ配置でも良好なステレオ再生が可能となる。
【００１８】
【発明の効果】
以上説明したように、この発明によれば、携帯電話機に２チャンネルの楽音信号を出力する楽音信号発生手段と、分離不能な筐体部に配置され、２チャンネルの楽音信号がそれぞれ印加される第１、第２のスピーカとを設けたので、電話の機能と音楽プレーヤの機能を共に有する携帯電話機を提供することができる。
【００１９】
また、請求項２に記載の発明によれば、着信音発生手段が、第１のスピーカによって着信音を発生し、音声発生手段が第２のスピーカによって音声を発音するようにしたので、スピーカの数を増やすことなく楽音再生を行うことができる利点が得られる。また、請求項３に記載の発明によれば、楽音信号発生手段がクロストークキャンセル回路を具備するので、ステレオ感の優れた楽音を発生することができる。
【図面の簡単な説明】
【図１】この発明の一実施形態の構成を示すブロック図である。
【図２】同実施形態におけるスピーカ２１，２７の取り付け位置を示す図であり、（イ）は携帯電話機の上部の内部を示し、（ロ）は携帯電話機の上部正面図である。
【図３】同実施形態の動作を説明するためのフローチャートである。
【図４】同実施形態のコントローラ１４の後部に取り付けられるクロストークキャンセル回路の構成を示す回路図である。
【符号の説明】
１…ＣＰＵ、２…ＲＯＭ、３…ＲＡＭ、４…操作部、５…表示部、６…通信部、８…音声処理部、９…マイクロフォン、１３…楽音メモリ、１４…コントローラ、１６，１７…ＤＡＣ、２１，２７…スピーカ、２３…着信音形成回路。
【図１】
0003578027.tif 000002
【図２】
0003578027.tif 000003
【図３】
0003578027.tif 000004
【図４】
0003578027.tif 000005